(57)【要約】  本発明でオブジェクトの移動方向を表示するディスプレイ装置は、アプリケーションプログラムが表示されるディスプレイと、前記アプリケーションプログラムが表示されるように実行させるアプリケーションプログラム実行部と、前記アプリケーションプログラムの活性化したオブジェクトから移動可能なオブジェクトの存在の有無を判断し、それに対応する方向情報を表示する制御部とを含む。  よって、活性化した特定オブジェクトに対する移動可能な方向を自動で表示することによって、ユーザに現在活性化したオブジェクトから移動可能な方向を予め示し、ユーザが現在活性化しているオブジェクトに対する移動可能な方向を容易に認知することができ、容易に方向操作ができる効果がある。
2007520000.tif 000002
【特許請求の範囲】
【請求項１】
アプリケーションプログラムが表示されるディスプレイと、
前記アプリケーションプログラムが表示されるように実行させるアプリケーションプログラム実行部と、
前記アプリケーションプログラムの活性化したオブジェクトから移動可能なオブジェクトの存在の有無を判断し、それに対応する方向情報を表示する制御部とを含むことを特徴とするオブジェクトの移動方向を表示する装置。
【請求項２】
前記制御部は、前記方向情報を活性化したオブジェクトにハイライトして表示することを特徴とする請求項１に記載のオブジェクトの移動方向を表示するディスプレイ装置。
【請求項３】
前記制御部は、前記方向情報を移動可能なオブジェクトにハイライトして表示することを特徴とする請求項１に記載のオブジェクトの移動方向を表示するディスプレイ装置。
【請求項４】
アプリケーションプログラムを表示する第１ステップと、
前記アプリケーションプログラムの活性化したオブジェクトから移動可能なオブジェクトの存在の有無を判断し、それに対応する方向情報を表示する第２ステップとを含むことを特徴とするオブジェクトの移動方向を表示するディスプレイ方法。
【請求項５】
前記第２ステップは、
前記オブジェクトのマッピングテーブルを参照して活性化したオブジェクトの周辺に位置するオブジェクトを検索するステップと、
前記検索されたオブジェクトの相対位置情報を検索するステップと、
前記検索された周辺オブジェクトの位置情報に基づいて周辺オブジェクトへ移動可能であるか否かを検索するステップとを含むことを特徴とする請求項４に記載のオブジェクトの移動方向を表示するディスプレイ方法。
【請求項６】
前記検索された周辺オブジェクトの相対位置情報により方向情報を示す方向指示子のディスプレイ位置を設定するステップをさらに含むことを特徴とする請求項５に記載のオブジェクトの移動方向を表示するディスプレイ方法。
【請求項７】
前記移動可能なオブジェクトをハイライトして示すことを特徴とする請求項４に記載のオブジェクトの移動方向を表示するディスプレイ方法。
【請求項８】
前記方向情報は、方向指示子を前記活性化したオブジェクトまたは移動可能なオブジェクトに示したり、移動可能なオブジェクトをハイライトして示したりすることを特徴とする請求項４に記載のオブジェクトの移動方向を表示するディスプレイ方法。
【発明の詳細な説明】
【技術分野】
【０００１】
本発明は、オブジェクトの移動方向を表示するディスプレイ装置および方法に関し、より詳しくは、活性化した特定オブジェクトに対する移動可能な方向を自動で表示するオブジェクトの移動方向を表示するディスプレイ装置および方法に関するものである。
【背景技術】
【０００２】
図１〜図３は、従来のデジタルテレビにおいて、ハイライト表示のなされたオブジェクトを示す図である。図示するように、デジタルテレビの画面上に移動可能なオブジェクト１０が存在し（図１の（ａ）参照）、各オブジェクト１０においては、上、下、左、右の方向キーを用いて周辺に存在する他のオブジェクトにハイライト表示の移動が可能である。
【０００３】
すなわち、図２および図３に示すように、特定オブジェクトが活性化した後に、上、下、左、右の方向キーのうちの何れか１つを押せば、該当方向に存在する新しいオブジェクトが活性化（すなわち、ハイライト表示）される。ここで、デジタルテレビのアプリケーションは、移動可能なオブジェクト間で方向キーを用いて移動を可能にするＡＰＩを支援するが、この時、アプリケーションの開発者は、ＡＰＩを介して特定オブジェクトとそのオブジェクトから上、下、左、右の方向に移動が可能なオブジェクトを登録する。
【０００４】
図４は、従来のデジタルテレビにおいて、ハイライト表示されたオブジェクトとそれから移動可能なオブジェクトとの関系を示す図であって、オブジェクト１には移動方向（上、下、左、右）に対して（オブジェクト２、オブジェクト３、なし、オブジェクト４）のようなハイライト表示の移動が可能な周辺オブジェクトに対する情報が登録されており、オブジェクト２は移動方向（上、下、左、右）に対して（なし、オブジェクト１、オブジェクト５、オブジェクト４）のようなハイライト表示の移動が可能な周辺オブジェクトに対する情報が登録されている。
【０００５】
オブジェクト１がハイライト表示された状態でユーザがリモコンで「上（Ｕｐ）」キーを押した場合、アプリケーションシステムは上記のようにオブジェクト１に登録された周辺オブジェクト情報からオブジェクト２を得て、オブジェクト２にハイライト表示の移動を行うようになる。そして、オブジェクト１は、ハイライト表示が消えた状態となり、オブジェクト２はハイライト表示された状態で改めて表示される。
【０００６】
また、オブジェクト２で「上（ｕｐ）」キーを押せば、この方向に該当する移動可能なオブジェクトが存在しないため、何の動作も行わないようになる。
【０００７】
その後、オブジェクト２で「下（ｄｏｗｎ）」キーを押せば、オブジェクト２に登録された情報からオブジェクト１を得て、これによって、オブジェクト１が再び改めてハイライト表示されるようになって、オブジェクト２はハイライト表示が消えた状態となり、オブジェクト１はハイライト表示された状態で改めて表示される。
【０００８】
しかし、デジタルテレビの画面上に表示されたオブジェクトは、上、下、左、右のキーでオブジェクト間の移動がなされるため、アプリケーションが少し複雑になっただけでも現在ハイライト表示されたオブジェクトから移動可能なオブジェクトを直ちに認知できず、これによってユーザがアプリケーションにおけるメニューの操作法を習得するのに一定時間が必要となるという問題点がある。
【０００９】
すなわち、一度習得してから、続けて使用できるアプリケーションである場合は、操作法を習得するための最初の努力だけが必要となるが、デジタルテレビ用のダウンロードアプリケーションは、放送局で放送プログラムと共にアプリケーションを伝送することによって、プログラムごとに異なるアプリケーションが異なって伝送される、すなわち一回用のアプリケーションが多いため、ユーザが操作法を習得することは、非常に難しいという問題点がある。
【００１０】
韓国特許公開公報第２０００−００２４４５７号（モジュラテレビのアイコン選択方法およびリモコン）は、上下左右の方向キーが設けられたリモコンから方向キー信号を受信して、カーソルを画面上に表示した１つのアイコン活性領域から隣接する他の１つのアイコン活性領域にジャンプする方式でカーソルを移動させる方法を開示しているが、ユーザがリモコンキーを押すごとに画面上でカーソルがアイコン活性領域を１ステップずつジャンプして移動することによって、ユーザは所望するアイコンを選択するために何度もリモコンキーを押さなければならないという煩わしさがある。
【発明の開示】
【課題を解決するための手段】
【００１１】
本発明は、前記問題点を解決するために案出されたものであって、本発明の目的は活性化した特定オブジェクトに対する移動可能な方向を自動で表示することによって、ユーザに現在の活性化したオブジェクトから移動可能な方向を予め示し、ユーザが容易に方向操作をすることができる、オブジェクトの移動方向を表示するディスプレイ装置および方法を提供することにある。
【００１２】
前記目的を達成するために、本発明の一実施例に係るオブジェクトの移動方向を表示するディスプレイ装置は、アプリケーションプログラムが表示されるディスプレイと、前記アプリケーションプログラムが表示されるように実行させるアプリケーションプログラム実行部と、前記アプリケーションプログラムの活性化したオブジェクトから移動可能なオブジェクトの存在の有無を判断し、それに対応する方向情報を表示する制御部とを含むことを特徴とする。
【００１３】
また、本発明の望ましい態様において、制御部は、前記方向情報を活性化したオブジェクトにハイライトして表示し、前記方向情報を移動可能なオブジェクトにハイライトして表示することを特徴とする。
【００１４】
また、本発明の他の実施例に係るオブジェクトの移動方向を表示するディスプレイ方法は、アプリケーションプログラムを表示する第１ステップと、前記アプリケーションプログラムの活性化したオブジェクトから移動可能なオブジェクトの存在の有無を判断し、それに対応する方向情報を表示する第２ステップとを含むことを特徴とする。
【００１５】
また、本発明の望ましい態様において、前記第２ステップは、前記オブジェクトのマッピングテーブルを参照して活性化したオブジェクトの周辺に位置するオブジェクトを検索するステップと、前記検索されたオブジェクトの相対位置情報を検索するステップおよび前記検索された周辺オブジェクトの位置情報に基づいて周辺オブジェクトへ移動可能であるか否かを検索するステップとを含むことを特徴とする。
【００１６】
また、本発明の望ましい態様において、前記検索された周辺オブジェクトの相対位置情報により方向情報を示す指示子のディスプレイ位置を設定するステップをさらに含むことを特徴とする。
【００１７】
また、本発明の望ましい態様において、前記移動可能なオブジェクトをハイライトして示すことを特徴とし、前記方向情報は方向指示子を前記活性化したオブジェクトまたは移動可能なオブジェクトに示したり、移動可能なオブジェクトをハイライトして示したりすることを特徴とする。
【発明を実施するための最良の形態】
【００１８】
以下、本発明の好ましい実施例を添付した図を参照して詳しく説明する。
【００１９】
図５は、本発明のオブジェクトの移動方向を表示するディスプレイ装置を概略的に示すブロック図であって、このディスプレイ装置は受信部１００と、制御部２００と、チャンネル変更部３００と、プログラム実行部４００と、メモリ部５００と、ディスプレイ部６００とを含んで構成される。
【００２０】
受信部１００は、ユーザのキー入力を受信するものであり、例えばユーザのリモコン操作およびマウス操作によって発生したキー信号（動作命令）を受信する。
【００２１】
制御部２００は、メモリ部５００に格納したプログラムを読み取り、実行されたプログラムの活性化したオブジェクトから移動可能なオブジェクトの存在の有無を判断し、それに対応する方向情報を前記ディスプレイ部６００に表示するものであり、すなわちユーザが発生させたキー入力信号によって特定オブジェクトが活性化したか否かの検索および周辺のオブジェクトの位置情報を検索し、前記活性化したオブジェクトの周辺に位置するオブジェクトの位置情報を検索して移動可能であるか否かを判断する。制御部２００は、判断部２１０と、検索部２２０と、イベント処理部２３０とを含む。
【００２２】
判断部２１０は、受信部１００が入力したユーザのキー入力による動作命令を判断するものであり、例えばユーザが入力したキー入力信号がチャンネル変更を要請しているのか、特定オブジェクトの動作実行を要請しているのかを判断して、判断結果に応じて入力されたキー入力信号をチャンネル変更部または検索部に該当命令を伝送する。
【００２３】
検索部２２０は、ユーザが発生させたキー入力信号によって特定オブジェクトを活性化するか否かの検索および周辺のオブジェクトの位置情報を検索するものであり、例えばユーザの特定オブジェクトに対する動作実行要請時の特定オブジェクトを活性化するか否かを検索し、前記活性化したオブジェクトの周辺に位置したオブジェクトの位置情報を検索して移動可能であるか否かを判断する。ここで、検索部２２０は、プログラム実行部４００のマッピングテーブルを介して特定オブジェクトに対する情報を検索し、また検索された周辺オブジェクトの位置により移動可能な方向を指示する指示子などのディスプレイ位置を設定する。
【００２４】
イベント処理部２３０は、検索部２２０が検索した活性化したオブジェクトおよび前記活性化したオブジェクトから移動可能な周辺オブジェクトにイベントを発生させるものであり、ここでイベントは、ハイライト表示および移動可能な方向を表示する指示子の表示であると理解することができる。前記イベントは、多様な色合いおよび形態で表示することができる。
【００２５】
チャンネル変更部３００は、ユーザのチャンネル変更要請によって入力されたキー入力信号に該当するチャンネルに変更させる。
【００２６】
プログラム実行部４００は、アプリケーションプログラムが表示されるように実行させるものであり、例えば制御部２００がアプリケーションプログラムの活性化したオブジェクトから移動可能なオブジェクトが存在するか否かを判断すれば、アプリケーションプログラムが表示されるように実行させるものである。
【００２７】
メモリ部５００は、オブジェクトに対する情報および各々のオブジェクトに対する移動可能な方向情報を格納するものであり、例えばデジタルテレビの画面上に表示された各々のオブジェクトの動作情報およびその周辺に位置したオブジェクトとの連結情報をマッピングテーブルとして作成して格納する。例えば、オブジェクトＡ、オブジェクトＢ、オブジェクトＣが存在すると仮定すれば、メモリ部５００のマッピングテーブルにはオブジェクトＡに対する動作情報、位置情報およびオブジェクトＡの周辺に位置している周辺オブジェクト（オブジェクトＢ、オブジェクトＣ）の位置情報が格納されている。また、オブジェクトＢおよびオブジェクトＣに対する情報もオブジェクトＡのようにマッピングテーブルに格納されている。
【００２８】
ディスプレイ部６００は、プログラム実行部４００が実行させたプログラムおよび方向情報を画面に表示するものであり、複数のオブジェクト、ハイライト表示および方向指示子の表示などを画面に表示する。
【００２９】
本発明に係るオブジェクトの移動方向を表示する方法は、ダウンロード可能なＵＩアプリケーションなどのようなプログラムなどにも適用することができる。ここで、ダウンロード可能なＵＩアプリケーションなどのようなプログラムは、例えば、ＨＡＶＩ  ＵＩアプリケーションと理解することができる。
【００３０】
図６は、本発明のオブジェクトの移動方向を表示するディスプレイ方法を概略的に示すフローチャートであって、ここではディスプレイ装置の一実施例としてデジタルテレビを例に挙げて説明する。
【００３１】
まず、受信部１００を介してユーザのキー入力信号が受信されれば、判断部２１０は受信されたキー入力信号がチャンネル変更を要請する命令であるか特定オブジェクトの動作実行を要請する命令であるかを判断する（Ｓ１００〜Ｓ１２０）。
【００３２】
その後、判断結果によって、チャンネル変更を要請する命令信号である場合、判断部２１０はチャンネル変更部３００に入力された命令信号を伝送し、チャンネル変更部３００はユーザのチャンネル変更要請に応じて該当するチャンネルに変更する（Ｓ１８０）。
【００３３】
一方、判断結果によって、特定オブジェクトの動作実行を要請する命令信号（すなわち、方向キーの値）である場合、判断部２１０は検索部２２０に入力された命令信号を伝送し、検索部２２０はデジタルテレビの画面上に活性化したオブジェクトが存在するかを検索する（Ｓ１３０）。
【００３４】
その後、前記活性化したオブジェクトが存在する場合、判断部２２０はイベント処理部２３０に活性化したオブジェクトにハイライト表示が適用されるように要請し、イベント処理部２３０は該当オブジェクトにハイライト表示をする（Ｓ１４０）。
【００３５】
その後、検索部２２０は、活性化したオブジェクトの周辺に位置したオブジェクト情報を検索する（Ｓ１５０）。ここで、判断部２１０は、メモリ部５００に格納されたマッピングテーブルを参照して活性化したオブジェクトの周辺に位置するオブジェクトを検索し、前記検索されたオブジェクトの相対位置情報を検索する。
【００３６】
その後、前記検索された周辺オブジェクトの位置情報に基づいて周辺オブジェクトへ移動可能であるか否かを検索する（Ｓ１６０）。前記検索の結果、周辺オブジェクトに移動が可能である場合、検索部２２０は移動可能なオブジェクトへの方向を表示する表示子のディスプレイ位置を設定する。ここで、表示子のディスプレイ位置は、周辺オブジェクトの位置に基づいて設定され、例えば活性化したオブジェクト周辺に指示子が位置するように設定することもでき、移動するオブジェクト上に指示子が位置するように設定することもできる。
【００３７】
その後、ディスプレイ部６００は、イベント処理部２３０が発生させたイベントをデジタルテレビの画面上に表示する。すなわち、デジタルテレビの画面上にハイライト表示がなされた活性化したオブジェクトがディスプレイされ、また移動可能な方向情報を示す指示子が特定位置にディスプレイされる（Ｓ１７０）。
【００３８】
図７〜図１０は、本発明に係る実施例であって、ディスプレイ装置で特定オブジェクトが活性化した場合に移動可能な方向を表示する画面を示した図である。
【００３９】
図７に示すように、デジタルテレビの画面上の現在活性化したオブジェクト３０にハイライト表示がなされ、前記活性化したオブジェクト３０の上に移動可能な方向を表示する指示子４０が表示される。
【００４０】
この後、ユーザが「上（ｕｐ）」キーを選択すれば図８に示すように活性化したオブジェクトが変更され、改めて活性化したオブジェクトにハイライト表示がなされ、前記ハイライトされたオブジェクトの上に移動可能な方向を表示する指示子４０が表示される。
【００４１】
図９〜１０は、本発明の他の実施例であって、移動可能な方向を表示する指示子を異なる表現で示した。
【００４２】
図９および図１０に示すように、デジタルテレビの画面上の現在活性化したオブジェクト３０にハイライト表示がなされ、前記活性化したオブジェクト３０の移動可能なオブジェクト５０にハイライト表示および方向を表示する指示子４０を示した。
【００４３】
この後、ユーザが「上（ｕｐ）」キーを選択すれば図１０に示すように活性化したオブジェクトが変更され、改めて活性化されたオブジェクトにハイライト表示がなされ、前記ハイライトされたオブジェクトの移動可能なオブジェクト５０にハイライト表示および方向を表示する指示子４０を示した。
【００４４】
本発明に係る好ましい実施例を図７〜図１０を参照して説明する。
【００４５】
まず、ユーザのキー入力信号が受信されれば、受信されたキー入力信号がチャンネル変更を要請する命令信号であるか、特定オブジェクトの動作実行を要請する命令信号であるかを判断するが、ここでは特定オブジェクトの動作実行を要請する命令信号であると仮定する。
【００４６】
その後、特定オブジェクトの動作実行を要請する命令信号が入力されれば、デジタルテレビの画面上に活性化したオブジェクトが存在するかを検索し、活性化したオブジェクトにハイライト表示をする。すなわち、図７および図９に示すように左下に活性化したオブジェクト３０にハイライト表示がなされる。
【００４７】
その後、活性化したオブジェクト３０から移動可能な方向情報を示すが、ここで現在活性化したオブジェクトの連結情報を検索して移動可能な方向を表示する。前記検索の結果、現在活性化したオブジェクト３０が「上」、「右」の２つの方向に対してのみ移動可能である場合、図７に示すように活性化したオブジェクト３０の上に「上」、「右」の２つの方向に対して指示子４０が表示される。一方、本発明の他の実施例として図９に示すように、移動可能な方向のオブジェクト５０上にハイライトおよび指示子を示すこともできる。
【００４８】
その後、ユーザが「上（ｕｐ）」キーを押せば、図８および図１０に示すように、活性化したオブジェクトが変更される。すなわち、活性化したオブジェクトの上側に位置する新しいオブジェクトにハイライト表示がなされ、改めて活性化したオブジェクト３０から移動可能な方向情報を検索する。
【００４９】
その後、活性化したオブジェクト３０から移動可能な方向情報を示すが、ここで現在活性化したオブジェクトの連結情報を検索して移動可能な方向を表示する。前記検索の結果、現在活性化したオブジェクト３０が「上」、「右」、「下」の３方向に対してのみ移動可能である場合、図８に示すように、活性化したオブジェクト３０の上に「上」、「右」、「下」の３方向に対して指示子４０が表示される。一方、本発明の他の実施例として図１０に示すように、移動可能な方向のオブジェクト５０上にハイライトおよび指示子を示すこともできる。
【００５０】
よって、ユーザに現在活性化しているオブジェクトの移動可能な方向を表示することによって、ユーザは現在活性化しているオブジェクトに対する移動可能な方向を容易に認知することができ、それによって所望する移動方向へのキー操作を容易にすることができる。
【００５１】
本発明においてデジタルテレビに対して発明を記述したが、これに限定されるものではなく、一般デジタルディスプレイに適用することもできる。
【００５２】
以上で本発明について詳しく記述したが、本発明が属する技術分野において通常の知識を有する者であれば、添付した請求の範囲に定義された本発明の精神および範囲から外れることなく、本発明を様々に変形または変更して実施することができることは自明であり、よって本発明の実施例に係る単純な変更は本発明の技術から外れるものではない。
【産業上の利用可能性】
【００５３】
本発明によれば、活性化した特定オブジェクトに対する移動可能な方向を自動で表示することによって、ユーザに現在活性化したオブジェクトから移動可能な方向を予め示し、ユーザが現在活性化しているオブジェクトに対する移動可能な方向を容易に認知することができ、容易に方向操作をすることができる効果がある。
【００５４】
また、既存のＡＰＩスペックをそのまま用いて、内部的に描画アルゴリズムのみ変更すれば良いため、別途の機能実現のためのＡＰＩ開発上のオーバーヘッドがないという長所がある。
【図面の簡単な説明】
【００５５】
【図１】従来のデジタルテレビにおいてハイライト表示されたオブジェクトを示す図である。
【図２】従来のデジタルテレビにおいてハイライト表示されたオブジェクトを示す図である。
【図３】従来のデジタルテレビにおいてハイライト表示されたオブジェクトを示す図である。
【図４】従来のデジタルテレビにおいてハイライト表示されたオブジェクトとそれから移動可能なオブジェクトとの関系を示す図である。
【図５】本発明のオブジェクトの移動方向を表示するディスプレイ装置を概略的に示すブロック図である。
【図６】本発明のオブジェクトの移動方向を表示するディスプレイ方法を概略的に示すフローチャート図である。
【図７】本発明の実施例に係るディスプレイ装置において特定オブジェクトが活性化した場合、移動可能な方向を表示する画面を示す図である。
【図８】本発明の実施例に係るディスプレイ装置において特定オブジェクトが活性化した場合、移動可能な方向を表示する画面を示す図である。
【図９】本発明の実施例に係るディスプレイ装置において特定オブジェクトが活性化した場合、移動可能な方向を表示する画面を示す図である。
【図１０】本発明の実施例に係るディスプレイ装置において特定オブジェクトが活性化した場合、移動可能な方向を表示する画面を示す図である。
【図１】
2007520000.tif 000003
【図２】
2007520000.tif 000004
【図３】
2007520000.tif 000005
【図４】
2007520000.tif 000006
【図５】
2007520000.tif 000007
【図６】
2007520000.tif 000008
【図７】
2007520000.tif 000009
【図８】
2007520000.tif 000010
【図９】
2007520000.tif 000011
【図１０】
2007520000.tif 000012
【国際調査報告】
2007520000.tif 000013
2007520000.tif 000014